(57)【要約】      （修正有）【課題】製造及び販売者にとっては、製造がし易く、数多くの販売が期待できるだけでなく、特に、内容物を１個ずつ取り出すことができ、内部で詰まりが無く、取り出すときに容器内で内容物の面白い動きがある様子を使用者本人や、家族などでも一緒に見て楽しめ、取り出し操作も簡単で、しかも衛生的、外観デザインも飽きがなく、機能美にも優れ、更に、世代を問わず子供から年配者でも楽しむことができるうえ、内容物の補充が簡単にできるディスペンサー付き容器を提供する。【解決手段】所定形状の菓子、清涼剤、口臭消臭剤、薬剤、栄養補助剤又は健康食品など内容物を入れておくホッパー構造を有する容器本体と、容器本体の開口を閉じる蓋と、操作部を指先で押操作又は引操作或いは回転操作することにより容器本体内の内容物を１個ずつ出口に案内する機構を備えたディスペンサー部と、出口から落下した内容物を受ける受皿を有する基台とを、上下方向に設け。【選択図】図１
2005219785.tif 000002
【特許請求の範囲】
【請求項１】
所定形状を有する菓子、清涼剤、口臭消臭剤、薬剤、栄養補助剤又は健康食品などの内容物を入れておくためのホッパー構造を有する容器本体と、容器本体上端の開口を閉じる蓋と、操作部を指先で押操作又は引操作或いは回転操作することにより容器本体内に入れられている内容物を１個ずつ出口に案内する機構を備えたディスペンサー部と、このディスペンサー部の出口から落下した内容物を受ける受皿とを有する基台とが上下方向に設けられていることを特徴とするディスペンサー付き容器。
【請求項２】
容器本体とディスペンサー部と基台とが、分割可能に組み付けられて一体的構成されている請求項１に記載のディスペンサー付き容器。
【請求項３】
容器本体の少なくとも前面は、透明プラスチック又は透明ガラスで形成されている請求項１又は２に記載のディスペンサー付き容器。
【請求項４】
蓋は、その上部が容器本体の上端外周縁部より若干外方向に広く形成された蓋本体と、この蓋本体の下方に向けて、容器本体上端の開口部内に嵌まる大きさに突出形成された係合部分とによって形成されており、この係合部分の外周面と容器本体の内壁上端面との係合が、容器本体の少なくとも内壁上部面が上端に向かうに従って若干広く形成され、且つ前記係合部分の外周面が前記内壁上部面に密着又は略密着する傾斜面で形成されて、蓋の着脱が容易になるように構成されている請求項１ないし３のいずれか１項に記載のディスペンサー付き容器。
【請求項５】
受皿は、基台の前部に一体的形成され、又は基台から取り出し可能に設けられている請求項１ないし４のいずれか１項に記載のディスペンサー付き容器。
【請求項６】
ディスペンサー部は、そのケース部の外周形状と容器本体の外周形状とが略同じ大きさを有している請求項１ないし４のいずれか１項に記載のディスペンサー付き容器。
【請求項７】
ディスペンサー部の下部は、内容物の出口となる開口部を受皿から一定の高さに位置させるために、前面が開放された脚部にて形成されている請求項１ないし６のいずれか１項に記載のディスペンサー付き容器。
【請求項８】
操作部は、押しボタン、又は横方向又は回動方向に操作するレバー、回転式ダイヤルのいずれかで構成されている請求項１ないし７のいずれか１項に記載のディスペンサー付き容器。
【請求項９】
操作部は、操作し終えた後、指先を離すと、バネの付勢力で操作前の位置まで戻るように構成されている請求項１ないし８に記載のディスペンサー付き容器。
【請求項１０】
ディスペンサー部の内部又はその上部には、２個以上の内容物が入らない大きさの開口部が形成され、且つ前記操作部の操作により前後又は横方向或いは上下方向のいずれかの方向にスライドして前記開口部が前記出口に重なる支持構造を有し、前記操作部の操作を止めるとバネの付勢力によって元の位置に戻るスライド式送り出し部が設けられている請求項１ないし９のいずれか１項に記載のディスペンサー付き容器。
【請求項１１】
送り出し部と操作部とが一体的形成されている請求項１０に記載のディスペンサー付き容器。
【請求項１２】
送り出し部又はその近傍箇所には、複数個の内容物の排出及び詰まりを防ぐ案内部が設けられている請求項１ないし１１のいずれか１項に記載のディスペンサー付き容器。
【請求項１３】
案内部は、上方に立設した３本のリブで構成され、且つこれらのリブの少なくとも中央に位置するリブは、１回の操作により排出する１個の内容物の近くに位置する他の内容物を開口部から離れる方向に拡散させる機能を有する請求項１２に記載のディスペンサー付き容器。
【請求項１４】
リブは中央の１本が他の２本よりも高く形成されている請求項１３に記載のディスペンサー付き容器。
【請求項１５】
中央のリブは、容器の中心から偏心した位置に設けられている請求項１３又は１４に記載のディスペンサー付き容器。
【請求項１６】
３本のリブのうちの少なくとも中央のリブの前端縁には、前記拡散機能を高めるため段部が形成されている請求項１４又は１５に記載のディスペンサー付き容器。
【発明の詳細な説明】
【技術分野】
【０００１】
本発明は、１回の手動操作により、楕円球状、粒状、球状又はペレット形状等の所定形状を有する菓子、清涼剤、口臭消臭剤、薬剤、栄養補助剤又は健康食品などの内容物を入れておくと共に、簡単な手動操作により１個ずつ受皿内に送り出すことができるディスペンサー付き容器に関する。
【背景技術】
【０００２】
現在市販されている粒状菓子には、大きなものでは、例えばドロップ、キャラメル、飴、アーモンドチョコレート、ペレット状チョコレート、氷砂糖などがあり、小粒なものでは、例えば粒状チョコレート、ゼラチン菓子、豆菓子などがあり、錠剤やカプセル状の薬剤、更に清涼剤や口臭消臭剤などにも小豆大ないし大豆大程度の大きさの比較的小粒なものがある。これらの粒状菓子、清涼剤、口臭消臭剤などの多くは紙箱、プラスチックフィルム製の袋、アルミニウムフィルム製の袋、プラスチックケース等の容器に入れられて出荷、発売されている。
【０００３】
また、薬剤、栄養補助剤の多くは、小さなガラス瓶、プラスチック瓶、一部面が粒状の薬剤などを１錠ずつ入れることができる大きさに成形されたプラスチックフィルム容器に当該粒状の薬剤を入れその片面をアルミニウムフィルムで密封して錠剤シートとしたり、更にこの錠剤シートが紙箱内に入れられて出荷、発売されている。
【０００４】
しかしながら、粒状菓子を紙箱に入れて発売することはあまりにも一般的であり、容器自体の印刷デザインに相当工夫をしなければ、菓子売り場の陳列棚に多数並べられた商品の中から消費者の目を引きつけることは出来ない。
【０００５】
又、粒状菓子を消費者が最初に購入する大きなポイントとしては、テレビや雑誌等のコマーシャル広告と、商品を入れた容器の外観デザインにあり、特に外観デザインについては、その商品の販売が続く限り商品と一体となって存在する。また、外観デザインを工夫することによって、容器自体に遊び心を取り入れて、容器自体の面白さも加えて消費者を惹きつけようと工夫している場合もある。
【０００６】
具体的には、例えば特許文献１に記載の菓子用容器では、球状の菓子を、パチンコ台の如く容器に入れて当該容器内で弾き、この様子を容器表面の透明部分から見ることができるように構成されている。
【０００７】
粒状菓子がプラスチックフィルムやアルミニウム製の袋に入れられていると、消費者が一端この袋を開封した後、封を閉じておかなければ、袋内の菓子が湿気ったり、こぼれ出たりすることがある。この点、粒状菓子がプラスチックケース内に入れられていると、蓋をするだけで容器が閉じられるという使い易さがあり、蓋を開けて容器を傾けることによって容器中から出てくる菓子を手に取ることができる。しかしながら、蓋を開けた容器を傾けて、菓子を１個ずつ取り出すことは結構困難であり、多くの場合、数個の菓子が転げ出てしまう。
【０００８】
この状態を防ぐため、例えば、特許文献２に記載の回転式菓子ディスペンサーでは、円筒型嵌合部を有する容器本体の側壁面の上部個所と、この容器本体に回動自在に嵌合する上蓋体の側壁にそれぞれ開口が形成されており、双方の開口が重なる位置まで上蓋体を回転させて容器を傾けると、容器の中から菓子が１個ずつ出るように構成されている。
【０００９】
【特許文献１】特開平７−２５７５５７号公報
【特許文献２】特開平８−３０１３６７号公報
【発明の開示】
【発明が解決しようとする課題】
【００１０】
上述した箱入りや袋入りなどの容器入りの粒状菓子の全般に通じて共通することは、個人ごとに使用することを主きにおいていることである。例えば、従来から市販されている箱入りやプラスチックケース入りの粒状菓子は、容量が小さく、一般に個人が所有していることもあるが、多くの場合、その粒状菓子を家族全員で食べることが多い。この場合、その粒状菓子が部屋に放置されるが、その放置後日数が経つと部屋のどこに置いてあるのか不明になる家族も出てくるので、これらの粒状菓子を家族全員で食べることができないことが有る。また、その粒状菓子を購入した本人でも、その菓子をどこに置いたの不明になることもある。
【００１１】
そして、これらの粒状菓子を家族の人や友人などに分けるときには、箱や袋等の容器の中から取り出した粒状菓子をこれらの人が直接手で受け取るようになるが、これではあまりにも普通の行為であるので、この行為は団欒や楽しみに欠け、世間において話題になることがなく、又、粒状菓子を直接、掌（手のひら）で受け取るのは衛生的ではない。特に、飲食店のレジカウンター等において、このような方法で顧客に粒状菓子を分けてあげる場合には、失礼になることもある。この点は、粒状の清涼剤、口臭消臭剤、薬剤、栄養補助剤又は健康食品などについても同じことがいえる。
【００１２】
また、上述した粒状の菓子、清涼剤、口臭消臭剤、薬剤、栄養補助剤又は健康食品等の内容物は、年配者でも箱や袋等の容器の中から取り出して口にできるようにすることが望ましいが、食べる度に箱の蓋、袋の口などを開閉することは、年配者には容易でないこともある。
【００１３】
更には、一般に、子供や年配者でも粒状菓子等の内容物を、簡単に、しかも１個ずつ取り出せるようにすることが望ましい。この点、上述した特許文献１に記載の菓子用容器では、粒状菓子を１個ずつ取り出すことができる上、遊び心も備えているが、この菓子用容器は、粒状菓子を取り出すときにレバーを指先で摘んで手前に引くという細かな操作が必要であり、しかも、このようにパチンコ台のように菓子を弾いて遊ぶこと自体に興味のない人も多い。
【００１４】
加えて、菓子用容器に遊び心を加えようとすると、世代を問わず多くの人が楽しめて、しかも、飽きの来ない遊び心と、粒状菓子等の内容物を取り出す機能が一体となって、使い勝手が良く、飽きのこないデザインにする必要があるが、従来の容器においてはこれらの点を満足させるものではない。
【００１５】
更には、容器が使い捨ての容器ではなく、粒状菓子等の内容物を何度でも補充して使用することができるものであれば、使い捨ての容器よりも、容器の製造コストや販売価格が多少高くなっても経済的であり、しかも多少高くてもよいから、優れた容器にすることができる。
【００１６】
また、容器としては、使い易く、消費者の目を惹きつける容器にする必要もあり、又、容器の容量が比較的大きく、しかも容器内の菓子の残量が見えるように構成されているものが好ましい。
【００１７】
この点について、特許文献２に記載の回転式菓子ディスペンサーは、容器内から菓子を１個ずつ取り出すことができる点においては優れているが、容器の形状は消費者の目を惹きつけるものではなく、容器の構造、更には容器の中から粒状菓子を取り出すまでの操作に遊び心や人を楽しませる点において欠けるものである。
【００１８】
そして、粒状の薬剤や栄養補助剤又は健康食品等の内容物につては、これらが小瓶などの容器に入れられていると、当該容器を傾けてその中から内容物を１個ずつ取り出すには微妙な傾き加減が必要であり、特に、このような容器の操作は子供や年配者には容易でなく、使い難いものになっている。
【００１９】
本発明者は、以上のような課題を前提とし、新規かつ消費者に好まれる容器について鋭意検討を重ねてきた。その結果、本発明のディスペンサー付き容器を発明するに至ったものである。
【００２０】
即ち、本発明は、製造者及び販売者にとって、製造が容易であり、又、容器に遊び心を加えて、世代を問わず子供から年配者まで数多くの人が楽しむことができるので、大量販売が期待できる上、特に、容器中の内容物を１個ずつ取り出すことができるだけでなく、その取り出しの際に内部で内容物の詰まりが無く、加えて、内容物を取り出すときには容器内で内容物の面白い動きやその様子を使用者本人は勿論のこと、家族なども一緒に見て楽しめるのであり、その取り出し操作も簡単であり、更に、衛生的で、外観デザインも飽きがなく、機能美にも優れるのであり、しかも、飽きの来ない遊び心と、粒状菓子等の内容物を取り出す機能が一体となって、使い勝手が良く、更に、内容物の補充が簡単にできるディスペンサー付き容器を提供することを目的とするものである。
【課題を解決するための手段】
【００２１】
本発明に係るディスペンサー付き容器においては、前記目的を達成するために、所定形状を有する菓子、清涼剤、口臭消臭剤、薬剤、栄養補助剤又は健康食品などの内容物を入れておくためのホッパー構造を有する容器本体と、容器本体上端の開口を閉じる蓋と、操作部を指先で押操作又は引操作或いは回転操作することにより容器本体内に入れられている内容物を１個ずつ出口に案内する機構を備えたディスペンサー部と、このディスペンサー部の出口から落下した内容物を受ける受皿とを有する基台とが上下方向に設けられていることを特徴とするものである。
【００２２】
本発明において、所定形状とは粉状や顆粒状などのように形状が特定できないものを除く意味であり、従って、具体的には、例えば楕円球状、球状、ペレット形状又はカプセル状などのように形状が特定できるものをいう。
【００２３】
そして、本発明に係るディスペンサー付き容器おいては、このような形状を有する菓子、清涼剤、口臭消臭剤、薬剤又は栄養補助剤等の内容物を入れておき、必要に応じて、適宜取り出して使用するためのものである。
【００２４】
従って、本発明のディスペンサー付き容器において、容器本体は、前記特定形状を有する内容物を入れておくために使用される容器であり、この容器本体はその大きさが特に限定されるものではないが、内容物を数多く入れることができる容量であることが望ましく、又、その携帯性や保存性更に用途等を考慮して全体の大きさを決定するのが望ましい。
【００２５】
そして、前記容器本体はその下面が、内容物を下方の１カ所に導き易くするために傾斜面になっており、その下端にはディスペンサー部に通じる開口部を有する。本発明でいうホッパー構造とはこのような構造をいう。尚、この開口部は、内容物を偏らせることなく開口部に導くことができる上、内容物の詰まりが無く、しかも内容物の送り出しが円滑にできるようにするなどの理由から、容器本体の下面中央に位置しているものが最適であるが、偏心させた個所に設けても良いのである。
【００２６】
この容器本体に収納される内容物としては、ディスペンサー部で送り出すときに詰まりが生じなく、しかもこの送り出しの際に向きが揃い易いなどの理由から、楕円球状、球状、ペレット形状又はカプセル状のうちのいずれかの形状を有するものが好ましい。このため、ペレット形状の内容物については、平坦な面を有する形状のものよりも、表裏両面にある程度球状に膨出したものが好ましい。
【００２７】
そして、この内容物は、その取り出しの際に崩れない程度の硬さを有し、形状安定性に優れたものがディスペンサー部を通じて送り出されるときに型崩れしないので好ましく、具体的には、例えば菓子としては、ドロップ、キャラメル、飴、アーモンドチョコレート、ペレット状チョコレート、氷砂糖又は豆菓子等が挙げられるのであり、この点は、菓子以外の清涼剤、口臭消臭剤、薬剤又は栄養補助剤等の内容物についても同様のことがいえる。
【００２８】
更には、この内容物としては、球状、楕円球状又はカプセル状を有する菓子、清涼剤、口臭消臭剤、薬剤、栄養補助剤又は健康食品などの内容物がその取り出しの際に偏ることなく開口部に導くことができる上、流動性が良く、しかも的確にディスペンサー部の所望個所に移動させることできるのであり、特に、内容物の向きを揃えて、詰まりが無く、円滑に且つ確実に１個ずつ送り出すことができるから最も望ましい。
【００２９】
ところで、本発明に係るディスペンサー付き容器においては、むしろ、従来、送り出しが困難と考えられていた楕円球状の内容物を的確に１個ずつ送り出して、受皿に入れることができるという点に重きをおいているが、その詳細については、後述のディスペンサー部の説明の欄で説明する。
【００３０】
また、本発明に係るディスペンサー付き容器においては、前述した各種内容物について好適に適用されるが、付加価値の向上等の観点から、これらのうち、特に、薬剤や栄養補助剤更に健康食品に適用するのが望ましく、具体的には、栄養補助食品又は健康食品としては、例えば黒酢などの健康酢、ローヤルゼリー又はビタミン剤などが挙げられるのであり、又、薬剤としては、例えばペレット状やカプセル状（カプセル入り）のものが挙げられる。
【００３１】
そして、このように、所定形状の菓子、清涼剤、口臭消臭剤、薬剤、栄養補助剤又は健康食品などを容器の中に入れ、これを手動操作によってディスペンサー部から送り出して、受皿に入れるという構造を有するディスペンサー付き容器は、従来には見受けられなかったのである。
【００３２】
また、本発明のディスペンサー付き容器においては、容器本体と、ディスペンサー部と、受皿を有する基台とが、上下方向、つまり、上から下に順に設けられており、手に取ることができる大きさの設置型のものである点においても大きな特徴を有する。このような構造を有するディスペンサー付き容器は、従来には存在しなかったのである。
【００３３】
このように、本発明のディスペンサー付き容器は、容器本体の蓋を開けて当該容器本体内に前記内容物を入れ、その後、蓋を閉じた状態でこの内容物を収容しておく。そして、このディスペンサー付き容器は、例えば、台所や居間などのテーブル、机の上、食器棚の中、レストランのテーブルの隅、レストランや居酒屋、スナック、クラブなどのレジカウンターの横などに置いておく。
【００３４】
そして、この内容物を口にしたいときには、本発明のディスペンサー付き容器を置いたまま、或いは手元に引き寄せて、操作部を指先で１回操作する。このようにすると、ディスペンサー部の出口から、内容物が１個、受皿の上に落下する。そして、受皿の上にある内容物を指先で摘んで口にすれば良いのである。もし、内容物が２個欲しい場合には操作部を２回操作すれば良いのである。
【００３５】
このように、本発明のディスペンサー付き容器においては、内容物の送り出しから受皿の上に落下するまでの、内容物の動きが楽しんで見ることができるので、家庭では家族皆で使用し、また、この容器を話題にして、或いはこの容器を手に取って遊んで家族で団欒を楽しむことができるのである。
【００３６】
しかも、この容器を利用すると、内容物を１個ずつしか取り出すことができないので、内容物が出すぎて床や畳の上などに落下したりしないので衛生的である。また、内容物を受皿の上に落下させて、これを指先で摘んで口にするので、掌（手のひら）を汚さず、衛生的である。
【００３７】
また、本発明のディスペンサー付き容器においては、内容物を１個、他人にあげる場合でも、１個であることを理由に、また、包み紙が無いという理由で、お互いに不快感は生じないのである。むしろ、この他人と共に交互に容器を操作すると、一緒に楽しむことができるのである。
【００３８】
更に、本発明のディスペンサー付き容器においてはこの容器に、前記内容物を入れ、これをレストランのテーブルの隅に置いておけば、顧客は自由に内容物を受皿から手に取ることができるので、顧客サービスにもなる。しかも、ディスペンサー付き容器は設置型であるため、見苦しくなく、床に転げ落ちることも少なく、容器をポケットに入れるほど小さくないので、顧客が容器ごと持ち帰ることも殆ど無く、加えて、内容物が１個ずつしか取り出せないので、内容物が無駄にならないのである。
【００３９】
また、本発明のディスペンサー付き容器の中に、ドロップ、清涼剤、口臭消臭剤又は胃薬などの薬剤を入れ、これをレストランや焼肉店、中華料理店、居酒屋、スナック、クラブなどのレジカウンターの横などに置いておくと、顧客に受け、顧客サービスになるのである。
【００４０】
ところで、本発明のディスペンサー付き容器においては、内容物を繰り返して補充、使用するために、丈夫で水洗可能なプラスチック製のものが最適である。
【００４１】
また、本発明においては、容器本体とディスペンサー部と基台とが、分割可能に組み付けられて一体的に構成されていると、本発明の容器が汚れたとき、水洗が容易なうえ、細かな個所まで洗浄できるのであり、しかも内部で何らかの問題が生じた場合、その対応が至極容易にできるのである。
【００４２】
ところで、本発明のディスペンサー付き容器において、当該容器を分割可能にするには、例えば外から見ることが出来ないように、数箇所でビス止め又はインサートネジでネジ止めして、容易に分割、或いは丈夫に接合できるように構成したものが望ましい。
【００４３】
また、本発明においては、容器本体の少なくとも前面を、透明プラスチック又は透明ガラスで形成されていると、容器本体内にどのような内容物が入っているのかを容易に見分けることができるうえ、内容物の量も確認できるようになる。特に、押部材を押操作したときに、後述するようにディスペンサー部内の動きによって内容物に一部が弾ける構造になっていると、内容物の弾ける様子が見えるので一層楽しくなるのである。
【００４４】
更に、本発明において、蓋は、その上部が容器本体の上端外周縁部より若干外方向に広く形成された蓋本体と、この蓋本体の下方に向けて、容器本体上端の開口部内に嵌まる大きさに突出形成された係合部分とによって形成されており、この係合部分の外周面と容器本体の内壁上端面との係合が、容器本体の少なくとも内壁上部面が上端に向かうに従って若干広く形成され、且つ前記係合部分の外周面が前記内壁上部面に密着又は略密着する傾斜面で形成されて、容器内を密閉状態に維持させると共に、蓋の着脱が容易になるように構成されているものが、以下に述べる理由から望ましい。
【００４５】
このような構造にすると、本発明において、内容物を補充するときの蓋の開閉が容易であり、しかも、蓋で容器本体の上部の開口が密閉されているので容器内が長期間にわたって湿気らないのであり、その結果、商品の品質の安定化と良好な風味の確保を長期間にわたって実現できるのである。
【００４６】
そして、本発明に係るディスペンサー付き容器においては、受皿は、基台の前部に一体的に形成され、又は基台から取り出し可能に設けられていると、この受皿上に落下した内容物を指先で摘んで採り易くなり、又、受皿を基台から取り出し可能に構成されていると、受皿だけを水洗いできたり、受皿を差し出して内容物を他人に手渡すようになり、極めて衛生的で、しかも当該他人に不快感を与えることがないのである。
【００４７】
そして、本発明に係るディスペンサー付き容器において、ディスペンサー部は、そのケース部の外周形状と容器本体の外周形状とが略同じ大きさを有しているものが、以下に述べる理由から望ましい。
【００４８】
このような構造に構成されていると、双方の接合部分の面が揃って見栄えの良いディスペンサー付き容器になる。そして、このようにするために、容器本体の外周側壁における下端周縁部の端面と、ディスペンサー部のケース部における上端周縁部の端面に凹凸を形成し、この凹凸を噛み合わせるようにして、容器本体の外周側壁とケース部における上端周縁部の外面を揃えるようにすると、双方の係合部分の位置ズレが無く、丈夫な係合を確保できるのである。
【００４９】
また、本発明に係るディスペンサー付き容器において、ディスペンサー部の下部は、内容物の出口となる開口部を受皿から一定の高さに位置させるために、前面が開放された脚部にて形成されているものが、以下に述べる理由から望ましい。
【００５０】
このように構成すると、本発明に係るディスペンサー付き容器は、受皿に落下した内容物を手に取り易く、一層使い易くなるのである。
【００５１】
更に、本発明のディスペンサー付き容器において、操作部は、押しボタン、又は横方向又は回動方向に操作するレバー、回転式ダイヤルのいずれかで構成されているものが、以下に述べる理由から望ましい。
【００５２】
この場合において、例えば操作部を押しボタンで構成し、この押しボタンをディスペンサー部の後部の右端に設けると、ディスペンサー付き容器を手で握るようにして、押しボタンを指先で押し操作出来るため、操作がし易くなり、子供や年配者でも強い力を出すことができる。勿論、本発明のディスペンサー付き容器による操作部の操作には強い力を必要としないが、指先の力の衰えが見られる年配者或いは幼児のことを考えると、出来るだけ操作し易く、極力強い力が引き出せる構造にすることが望ましい。
【００５３】
勿論、本発明では、操作部は押操作によるものだけに限定されるものではない。例えば、引き操作によるものとして、操作部は、ディスペンサー部のケース部の側壁又は前壁から突出して設けられたレバーによるものが用いられていても良く、また、回転操作によるものとして、操作部は、ディスペンサー部のケース部の側方又は前方に突出して設けられた回転式ツマミ又は回転式ハンドルが用いられても良いのである。
【００５４】
そして、本発明に係るディスペンサー付き容器において、操作部は、操作し終えた後、指先を離すと、バネの付勢力で操作前の位置まで戻るように構成されていると、操作部がバネの付勢力で操作前の位置まで復帰すると、操作部を戻す操作が不要になり、次の操作を連続して行なえるのである。
【００５５】
そして、本発明においては、ディスペンサー部の内部又はその上部には、２個以上の内容物が入らない大きさの開口部が形成され、且つ前記操作部の操作により前後又は横方向或いは上下方向のいずれかの方向にスライドして前記開口部が前記出口に重なる支持構造を有し、前記操作部の操作を止めるとバネの付勢力によって元の位置に戻るスライド式送り出し部が設けられているものが、以下に述べる理由から望ましい。
【００５６】
この構造によれば、送り出し部の開口部内に内容物を１個だけ落とし込んだ後、この送り出し部の開口部が出口の重なる位置までスライド移動させると、内容物が出口から下方の受皿に向けて確実に１個だけ落下するのである。
【００５７】
又、本発明に係るディスペンサー付き容器においては、送り出し部と操作部とが一体的形成されているものが、以下に述べる理由から望ましい。
【００５８】
このように構成すると、操作部を操作する指の動きがそのまま、内容物を送り出す早さになる。このため、使用者にとって操作がわかり易く、ゆっくり操作することもできたり、また、複数の内容物を取り出したい場合には、操作部を早く操作してもよいのである。特にこのように送り出し部と操作部を一体的に形成すると、ディスペンサー部内の構造が簡単になり、故障も少なくなる上、外観デザインも良好になるのである。
【００５９】
更に、本発明においては、送り出し部又はその近傍箇所には、複数個の内容物の排出及び詰まりを防ぐ案内部が設けられているものが、送り出しの際の詰まりが一層無くなるので望ましい。
【００６０】
そして、本発明においては、案内部は、上方に立設した３本のリブで構成され、且つこれらのリブの少なくとも中央に位置するリブは、１回の操作により排出する１個の内容物の近くに位置する他の内容物を開口部から離れる方向に拡散させる機能を有するものが、以下に述べる理由から一層望ましい。
【００６１】
このように構成すると、１回の操作で確実に１個の内容物を取り出すことができるようになり、また、この他の内容物が拡散する様子を見て楽しむことができるようになるのである。
【００６２】
加えて、本発明に係るディスペンサー付き容器においては、リブは中央の１本が他の２本よりも高く形成されている構造のものが、以下に述べる理由から望ましい。
【００６３】
このように構成すると、１回の操作により排出する１個の内容物の近くに位置する他の内容物を開口部から離れる方向に拡散させる作用が更に高くなり、１回の操作でより確実に１個の内容物を取り出すことができるようになる。また、この操作をする人がその拡散する様子を見て楽しむことができるようになるのである。
【００６４】
更に、本発明においては、中央のリブが、容器の中心から偏心した位置に設けられている構造を有するものが、１回の操作により排出する１個の内容物の近くに位置する他の内容物を開口部から、より一層横方向に離れる方向に拡散する結果、１回の操作でより確実に１個の内容物を取り出すことができるようになるので望ましい。
【００６５】
そして更に、本発明において、３本のリブのうちの少なくとも中央のリブの前端縁には、拡散機能を高めるため段部が形成されていると、操作部の操作によって、容器内の内容物が上方に弾けて拡散し、操作者がこの様子を見ることができるようになるので、一層楽しい至極優れたディスペンサー付き容器となるので好ましい。
【発明の効果】
【００６６】
以上説明したように、本発明のディスペンサー付き容器においては、前記構成を有し、製造が容易であり、又、容器に遊び心を加えて、世代を問わず子供から年配者まで数多くの人が楽しむことができるので、大量販売が期待できる上、特に、容器中の内容物を１個ずつ取り出すことができるだけでなく、その取り出しの際に内部で内容物の詰まりが無く、加えて、内容物を取り出すときには容器内で内容物の面白い動きやその様子を使用者本人は勿論のこと、家族や周囲の人なども一緒に見て楽しめるのであり、その取り出し操作も簡単であり、更に、必要なときに、操作部を操作してこの内容物を１個ずつ送り出して、受皿上に落下させることができるので、極めて衛生的で家族は勿論、他人等とも共用することができるのであり、しかも、飽きの来ない遊び心と、粒状菓子等の内容物を取り出す機能が一体となって、使い勝手が良く、更に、内容物の補充が簡単にできるなどの効果を奏するのである。
【００６７】
また、本発明のディスペンサー付き容器においては、テーブルや机などの台の上に載置して使用し得る据え置き型であるために高級感があり、しかも、外観デザインも飽きがなく良好で、機能美にも優れるのであり、又、内容物を補充して半永久的に使用することができるので、至極経済的であるなどの効果を奏するのである。
【００６８】
特に本発明のディスペンサー付き容器においては、容器本体とディスペンサー部と基台とが、分割可能に組み付けられて一体的に構成されていると、本発明の容器が汚れたとき、水洗が容易なうえ、細かな個所まで洗浄できるのであり、しかも内部で何らかの問題が生じた場合、その対応が至極容易にできるなどの効果を奏するのである。
【００６９】
また、本発明のディスペンサー付き容器においては、容器本体の少なくとも前面を、透明プラスチック又は透明ガラスで形成されていると、容器本体内にどのような内容物が入っているのかを容易に見分けることができるだけでなく、内容物の量も確認できる上、内容物の弾けたり、移動する様子が見えるので一層楽しくなるなどの効果を奏するのである。
【００７０】
更に、本発明のディスペンサー付き容器においては、内容物を送り出すときに操作する操作部を、押しボタン構造にし、この押しボタンを操作し易いディスペンサー付き容器の後部の一方のコーナー部に設けると、ディスペンサー付き容器を片手で持ちながら、その片手の人指し指や中指で握るように手前に押して操作できるようになり、この結果、指先の力の弱い年配者、子供、若い女性でも楽に操作できるようになるなどの効果を奏するのである。
【００７１】
また、本発明のディスペンサー付き容器においては、ディスペンサー部内において、内容物を送り出す構造が、送り出し部に形成されている内容物が丁度嵌まる大きさの開口部内に内容物を落とし込んだ状態で、この送り出し部を、操作部を操作してスライドさせて、この開口部が出口の開口部と重なる位置までスライドさせて、内容物を落下させるという構造にすると、内容物が詰まり難くなり、内容物を１個ずつ送り出すことができる機構を簡単な構造で実現できるなどの効果を奏するのである。
【００７２】
そして更に、本発明においては、１回の操作により排出する１個の内容物の近くに位置する他の内容物を開口部から離れる方向に拡散させる機構を採用すると、内容物を一層確実に１個ずつ取り出すことができる上、内容物の詰まりが確実に無くなり、しかも内容物の拡散する様子が目で楽しく見ることができるなどの効果を奏するのである。
【発明を実施するための最良の形態】
【００７３】
以下、本発明の最良の形態については次の実施例図面に基づき詳細に説明するが、本発明はこれに限定されるものではない。
【実施例１】
【００７４】
図１は本発明の実施例１に係るディスペンサー付き容器を示す正面図、図２は同じくその右側面図、図３は同じくその正面断面図、図４は同じくその側面断面図である。
【００７５】
これら各図に示すように、実施例１のディスペンサー付き容器１の外観構成は、容器本体２と、ディスペンサー部３と、受皿４を有する基台５とが上から下に順に分割可能に一体的に組み付けられたもので構成されており、このディスペンサー部３は、ディスペンサーケース３０と押しボタン６とこの押しボタン６を付勢しているバネ８とが組み込まれたもので構成されている。
【００７６】
このような構造を有する実施例１のディスペンサー付き容器１は、この場合、カプセル状又は楕円球状を有する比較的小粒の菓子、或いはこの菓子と略同形状を有する清涼剤、口臭消臭剤、薬剤、栄養補助剤又は健康食品などから選ばれた１種の内容物、具体的には、例えばカプセル状（カプセル入り）の黒酢などの健康酢を容器本体２の中に入れておき、必要時には、ディスペンサー部３の右後部のコーナー部に位置する操作部である押しボタン６を押すことによって、ディスペンサー部３から内容物５０を１個ずつ受皿４上に落下させて、この内容物５０を手に取ることができるように構成されている。
【００７７】
このため、実施例１のディスペンサー付き容器１は、テーブルや机（図示せず）の上の隅などに載置した状態で使用できる小型の設置型に構成されているが、手に取って使用することもできるのであり、通常は、容器本体２の上部開口２ｍは蓋５で閉じられている。
【００７８】
実施例１のディスペンサー付き容器１は、その全体高さは９５ｍｍを有し、受皿４を除く外観形状は、周側壁のコーナー部が大きな曲面で形成された略角型形状を有しており、その前後及び左右の幅は約５０ｍｍである。そして、前記受け皿４はディスペンサー部３の前端から２０ｍｍ程度前方に長く突出した平面視略長方形状に形成され、図２及び図４に示すように、ディスペンサー部３の前下部は大きく切り欠かれている。
【００７９】
実施例１のディスペンサー付き容器１において、ディスペンサー部３の内部に設けられているバネ８を除く各部は、ＡＳ樹脂で形成されており、ディスペンサー部３は透明である。
【００８０】
図５において、（ａ）図はその容器本体の平面図、（ｂ）図は同じくその正面図、（ｃ）図は同じくその右側面図、（ｄ）図は同じくその正面断面図、（ｅ）図は同じくその側面断面図である。
【００８１】
図１乃至図４を参照にしつつ図５の各図に示すように、前記容器本体２は、四方の側壁２ａ，２ａ・・が下端部から上端部に向かうに従って若干外方向に広くなるように形成され、底面２ｂは中央に向かうに従って下方に傾斜し、その中心には若干前後方向に長く形成された楕円形状を有する開口部２ｃが形成されており、又、上端に開口部２ｍが形成されたホッパー構造を有している。
【００８２】
そして、四方の側壁２ａ，２ａ・・の下縁部にはリブ２ｄが下方に向けて突出しており、前記開口部２ｃの中心位置から若干左側に偏心した位置の後方における傾斜面には、切欠き状のスリット２ｅが縦方向に形成されている。そして、図５の（ａ）に示すように、前記底面２ｂの前記開口部２ｃにおける左右方向中央には前後方向に向けたスリット２ｆ，２ｇが形成されている。
【００８３】
又、前記底面２ｂの下面における前記開口部２ｃを挟んだ箇所には前後方向に向けた補強板２ｈ、２ｉが下方に向けて突出形成されており、又、前記底面２ｂの右前部箇所と左後部箇所にはそれぞれネジ穴を有するボス２ｊ，２ｋが形成されている。
【００８４】
図６において（ａ）図はその蓋を示した平面図、同（ｂ）図は同じくその底面図、同（ｃ）図は同じくその正面図、同（ｄ）図は蓋のその正面断面図である。
【００８５】
図１乃至図４を参照しつつ図６の各図に示すように、蓋５は、その上部５ａが容器本体２の上端外周縁部より若干外方向に広く形成された蓋本体５ａと、この蓋本体５ａの下面から下方に向けて、容器本体２の上端の開口部２ｍ内に嵌まる大きさに突出形成された係合部分５ｂとが一体形成されたものである。
【００８６】
そして、この係合部分５ｂの外周面５ｃと容器本体２の内壁上端面との係合が略密着するように、この係合部分５ｂの外周面５ｃは、上端から下端縁に向かうに従って若干傾斜したテーパー状に形成されている。
【００８７】
そして、前記ディスペンサー部３は、図１乃至図３に示すように、ディスペンサーケース３０と押しボタン６とこの押しボタン６を付勢しているバネ８とが組み込まれたもので構成されている。
【００８８】
図７において、（ａ）図はそのディスペンサーケースを示す平面図、（ｂ）図は同じくその正面図、（ｃ）図は同じくその底面図である。そして、図８において、（ａ）図はそのディスペンサーケースを示す右側面図、（ｂ）図は同じくその正面断面図、（ｃ）図は同じくその側面断面図である。
【００８９】
図１乃至図４を参照しつつ図７及び図８の各図に示すように、ディスペンサーケース３０は、図５における（ｂ）〜（ｅ）に示す前記容器本体２の四方の側壁２ａ，２ａ・・の下端縁部に丁度突き合う形状及び大きさに形成された上端縁部を有する四方の側壁３０ａ，３０ａ・・を有し、この四方の側壁３０ａ，３０ａ・・のうち、前面側に位置する側壁３０ａの下部は大きく切欠かれた開口部３０rが形成されており、この開口部３０ｒは内容物５０の取り出し口である。
【００９０】
そして、四方の側壁３０ａ，３０ａ・・の右側の側壁３０ａと後部の側壁３０ａの間に位置するコーナー部の若干上部寄りの箇所には、右側の側壁３０ａと後部の側壁３０ａの途中面まで至る大きな開口部３０ｃが形成されており、更に、四方の側壁３０ａ，３０ａ・・で囲まれた内側空間には、前部の側壁３０ａの下縁に沿う高さの上段仕切り板部３０ｄが形成されており、この上段仕切り板部３０ｄの右寄りの面は前記開口部３０ｃの下縁部よりも若干低い位置まで低く段違いに形成された下段仕切り板部３０ｅが形成されている。
【００９１】
下段仕切り部３０ｅは、ディスペンサーケース３０内の後端から前方に向けた中央よりも若干手前側の位置まで形成されており、この下段仕切り板部３０ｅの前端縁部の位置には、上段仕切り板部３０ｄと下段仕切り板部３０ｅの高さに合わせた前後仕切り板部３０ｆが形成されている。
【００９２】
このため、ディスペンサーケース３０の前部に形成されており、開口部３０ｒを入口とする空間の奥行きは、前後仕切り板部３０ｆが形成されている箇所までである。このため、右側の側壁３０ａと左側の側壁３０ａと後部の側壁３０ａの各下部は、前後仕切り板部３０ｆとともに、ディスペンサーケース３０、すなわちディスペンサー部３の脚部を構成している。そして、右側の側壁３０ａと左側の側壁３０ａと後部の側壁３０ａの各下端部に沿った外周面は、薄肉形状の低段が形成されて当該箇所に皿４が着脱自在に嵌まるように構成されている。
【００９３】
そして、前記上段仕切り板部３０ｄの上面における中央箇所には、中央ガイドレール３０ｇが前後方向に短く形成されており、その左右方向に一定間隔を設けて、リブからなる左右ガイドレール３０ｐ，３０ｑが前後方向に平行に形成されており、更に、この左右ガイドレール３０ｐ，３０ｑの間における上段仕切り板部３０ｄの前部には、図示しない内容物の出口となる開口部３０ｂが形成されている。
【００９４】
そして、下段仕切り板部３０ｅ上には、バネ受け空間を形成する仕切り板部３０ｈが前後方向に向けて形成されている。そして、下段仕切り板部３０ｅの上面と上段仕切り板部３０ｄの上面には、図５の各図に示すボス２ｊ，２ｋの先端と突き合うボス３０ｈ、３０ｋが形成されており、図１乃至図３に示すように、双方のボス２ｊ，２ｋ，３０ｈ，３０ｋの端面同士を突き合わせて、ネジ止めして、ディスペンサーケース３０と容器本体２とが接合、固定できるように構成されている。
【００９５】
そして更に、下段仕切り板部３０ｅの下面と上段仕切り板部３０ｄの下面にも、ネジ穴が形成されたボス３０ｍ，３０ｎが下方に長く突出して形成されており、これらのボス３０ｍ，３０ｎは、図１乃至図４に示す受皿４をネジ止めするためにある。
【００９６】
図９の（ａ）図は押しボタンを示す平面図であり、同（ｂ）図は同じくその正面図であり、同（ｃ）図は同じくその右側面図であり、同（ｄ）図は同じくその側面断面図である。
【００９７】
これら各図に示す押しボタン６は、図８の（ａ）図及び（ｂ）図に示すディスペンサーケース３０の右後部に形成されている開口部３０ｃの周縁に沿った形状を有する曲面板形状に形成された操作面６ａと、この操作面６ａの中段位置から前方に突出させた板面部６ｂと、この板面部６ｂの左側方に沿って形成された送り出し部６ｃと、この送り出し部６ｃの左側上端の側縁に沿って形成された板面部６ｅと、上方に向けた３本のリブ６ｆ，６ｊ，６ｈとが形成された一体的成形品である。
【００９８】
送り出し部６ｃは、上下高さを有し、その略前半部が枠状部６ｄになってその内側には開口部６ｍが形成されており、この枠状部６ｄは先端が円弧状に形成されている。この開口部６ｍは、ディスペンサーケース３０の開口部３０ｂと同じ大きさであり、楕円球形状の菓子（図８では図示せず）が向きを揃えて、ある程度ゆとりをもって落ち込むことができる多少前後方向に長く形成された略Ｄ形状を有している。
【００９９】
そして、送り出し部６ｃの略後半部は、上板面６ｒが形成され、この上板面６ｒ前端縁と開口部３０ｂとの間には、前端に向かうに従って低くなる傾斜面６ｇが形成されている。
【０１００】
又、立設面６ｐの左右方向の中央には、図７の各図に示すように、ディスペンサーケース３０内のガイドレール３０ｇに嵌まる大きさの切欠き凹部６ｋが形成されており、後方の上板面６ｒの中央よりも若干左側に偏心した箇所には、前後方向に幅を有する急峻な山形形状を有するセンターリブ６ｆが上方に向けて形成されている。
【０１０１】
また、この押しボタン６における左右の板面部６ｅ，６ｂの側方先端部には、センターリブ６ｆの高さとその段部６ｓの高さの中間に位置する高さを有する急峻な山形形状を有する左右のリブ６ｊ，６ｈが上方に向けて形成されている。
押しボタン６は以上の如き形状を有している。
【０１０２】
図１０の（ａ）図は受皿を示す平面図、同（ｂ）図は同じくその正面図、同（ｃ）図は同じくその側面断面図である。
【０１０３】
図１乃至図４を参照しつつ図１０の各図に示すように、受皿４はディスペンサーケース３０よりも手前方向に広く形成されており、この受皿４の周囲は立設部４１が形成されており、手前側の立設部４１ａは、他の立部４１に高さよりも高く形成されている。
【０１０４】
そして、この受皿４の平坦面４２には、図７の各図に示すように、ディスペンサーケース３０に形成されているボス３０ｎ，３０ｍと突き合うボス４２ａ，４２ｂが形成されており、双方の対応するボス３０ｎ，３０ｍ、４２ａ，４２ｂを突き合わせてネジ止めしてディスペンサーケース３０と受皿４が一体的に組み付けることができるように構成されている。
【０１０５】
次に、本実施例のディスペンサー付き容器１における組み付け後の構造と、使用方法及びその動作について説明ずる。
図１１はディスペンサー付き容器の操作中の状態を示した側面断面図である。
【０１０６】
図１乃至図４及び図１１に示すように、本実施例のディスペンサー付き容器１を組み付けた状態においては、押しボタン６はバネ８と共に、ディスペンサーケース３０の内部に組み込まれている。その組み込みは、ディスペンサーケース３０と容器本体２とを組み付ける前に行なわれ、押しボタン６をディスペンサーケース３０に組み付けた後、ディスペンサーケース３０と容器本体２とが組み付けられる。
【０１０７】
そしてこれらが組み付けられた状態において、押しボタン６は、操作面６ａがディスペンサーケース３０の右後部に形成されている開口部３０ｃの周縁に沿った内側面に接するように位置し、且つ押しボタン６の中央下部に形成されている切欠き凹部６ｋをディスペンサーケース３０内のガイドレール３０ｇに上方から嵌め込み、押しボタン６中央の送り出し部６ｃをディスペンサーケース３０内の上段仕切り板部３０ｄ上における左右のリブ３０ｐ，３０ｑの内側に沿って落ち込ませるようにして載置させる。
【０１０８】
同時に、ディスペンサーケース３０内の下段仕切り板部３０ｅ上にバネ８を前後方向に向けて置き、このバネ８の前端をディスペンサーケース３０内における前後仕切り板部３０ｆの後面と押しボタン６の操作面６ａの裏面に接当させる。このように組み付けると、押しボタン６は、ディスペンサーケース３０の開口部３０ｃの周縁に沿った内側面に接する位置まで押し戻された状態に付勢されている。
【０１０９】
そして、図１乃至図４に示すように、ディスペンサーケース３０上に容器本体２を組み付ける際に、押しボタン６の形成されている左右のリブ６ｊ，６hの先端を、容器本体２の底面２ｂに形成されている左右のスリット２ｆ，２ｇの下方から上方に突出するように挿入する。
【０１１０】
このようにして、ディスペンサーケース３０と押しボタン６と容器本体２とを組み付けると、左右のリブ６ｊ，６ｈは前記スリット２ｆ，２ｇ内の後部に位置している。
【０１１１】
このように全体を組み付けた状態において、ディスペンサーケース３０の後部の開口部３０ｃから押しボタン６の操作面３０ａを押すと、押しボタン６はバネ８の力に抗してディスペンサーケース３０内に深く押し込まれる。この動きは、押しボタン６の送り出し部６ｃが左右ガイドレール３０ｐ，３０ｑに沿い、しかも、押しボタン６の切欠き凹部６ｋが中央ガイドレール３０ｇに嵌まって支持された状態で行なわれる。
このため、押しボタン６は前後方向のみに移動可能である。
【０１１２】
図１乃至図４に及び図１１に示すように、実施例１のディスペンサー付き容器１の容器本体２内には、楕円球状を有する比較的小粒の菓子からなる内容物５０が多数個入れられている。
【０１１３】
容器本体２内に内容物５０が入れられると、当該内容物５０の下層の一部は送り出し部６ｃの上まで達し、更にそのうちの１個は、この送り出し部６ｃの前部の開口部６ｍ内に落ち込んだ状態になる。
【０１１４】
このディスペンサー付き容器１内から内容物５０を取り出すときには、図１１に示すように、前記開口部３０ｃの外側から、指先で押しボタン６の操作面６ｃを押す。このようにすると、送り出し部６ｃは前方にスライド移動し、この送り出し部６ｃの開口部６ｍ内に落ち込んでいる１個の内容物５０も前後方向に送り込まれる。そして、この開口部６ｍとその下方の出口である開口部３０ｂとが重なると、内容物５０は下方の受皿４に向けて落下する。
【０１１５】
図１１に示すように、送り出し部６ｃで開口部６ｍ内の１個の内容物５０を前方に送り出す際に、この開口部６ｍの上方にも多数個の内容物５０が位置した状態になっているが、送り出し部６ｃの前方に向けたスライドと同時に３本のリブ６ｆ，６ｊ，６ｈも前方に移動するため、この開口部６ｍの上に有る内容物５０は、３本のリブ６ｆ，６ｊ，６ｈによって、前方に押し出されたり、側方に掻き分けられるようにして、周囲に離散する。
【０１１６】
特に、送り出し部６ｃの先端が曲面形状を有しているために、送り出し部６ｃは内容物５０を掻き分けて前方にスライドする。このため、送り出し部６ｃは円滑に前方にスライドし、送り出し部６ｃの上面及び開口部６ｍ内に落ち込んでいる１個の内容物５０上には、上からの重い荷重は加わらないのである。
【０１１７】
しかも、中央のリブ６ｆは左右のリブ６ｊ，６ｈよりも背が高いので、前方の内容物５０を掻き分けて離散させ易く、更には、この中央にリブが若干左に偏心しているので、内容物５０の一部が同時に２個、開口部６ｍ内に落ち込む方向に移動しないのである。むしろ、中央のリブ６ｆを偏心させていることによって、このリブ６ｆの一方の側方には内容物５０を開口部６ｍ内に案内する経路ができる。
【０１１８】
特に、この中央のリブ６ｈにおける前端縁部の中段には、傾斜の緩い段差６ｋが形成されているので、中央のリブ６ｆが前方に移動する過程で、この段差６ｓによって前方の内容物５０が上方に弾かれる。そして、この弾かれる動きは、周囲の内容物５０が離散した動きの中で行なわれるので、人目にもよく判り、面白く見える。
【産業上の利用可能性】
【０１１９】
本発明のディスペンサー付き容器は、従来の粒状菓子の袋や粒状菓子の容器などと違って、粒状菓子を補充することができ、半永久的に使用できる据え置き方の小型容器であり、粒状菓子の取り出しが指先で操作部を操作するだけで、１個ずつ確実に行なえる。しかも、一旦、受皿に落下させるという構造になっている。更には、操作部の操作によって、容器内の内容物を弾くという遊び心も兼ね備えている。このようなディスペンサー付き容器は、従来には見られなかったが、粒状菓子の容器として、また同じような形状を有する清涼剤、口臭消臭剤、薬の錠剤、栄養補助剤又は健康食品の容器としても使用できる。このため、これらの分野において利用可能性が高いのである。
【図面の簡単な説明】
【０１２０】
【図１】図１は本発明の実施例によるディスペンサー付き容器を示す正面図である。
【図２】図２は同じくその右側面図である。
【図３】図３は同じくその正面図である。
【図４】図４は同じくその側面断面図である。
【図５】図５において（ａ）図は容器本体の平面図である。  図５において（ｂ）図は同じくその正面図である。  図５において（ｃ）図は同じくその右側面図である。  図５において（ｄ）図は同じくその正面断面図である。  図５において（ｅ）図は同じくその側面断面図である。
【図６】図６において（ａ）図は蓋を示す平面図である。  図６において（ｂ）図は同じくその底面図である。  図６において（ｃ）図は同じくその正面図である。  図６において（ｄ）図は蓋の正面断面図である。
【図７】図７において（ａ）図はディスペンサーケースを示す平面図である。  図７において（ｂ）図は同じくその正面図である。  図７において（ｃ）図は同じくその底面図である。
【図８】図８において（ａ）図はディスペンサーケースを示す右側面図である。  図８において（ｂ）図は同じくその正面断面図である。  図８において（ｃ）図は同じくその側面断面図である。
【図９】図９において（ａ）図は押しボタンを示す平面図である。  図９において（ｂ）図は同じくその正面図である。  図９において（ｃ）図はその右側面図である。  図９において（ｄ）図は同じくその側面断面図である。
【図１０】図１０において（ａ）図は受皿を示す平面図である。  図１０において（ｂ）図は同じくその正面図である。  図１０において（ｃ）図は同じくその側面断面図である。
【図１１】図１１はディスペンサー付き容器の操作中の状態を示す側面断面図である。
【符号の説明】
【０１２１】
１      本実施例のディスペンサー付き容器
２      容器本体
２ａ    側壁
２ｂ    底面
２ｃ    開口部
２ｍ    開口部
３      ディスペンサー部
３０    ディスペンサーケース
３０ｂ  開口部
３０ｃ  開口部
５      蓋
６      押しボタン
６ａ    操作面
６ｃ    送り出し部
６ｍ    開口部
６ｆ    センターリブ
６ｋ    段部
８      バネ
【図１】
2005219785.tif 000003
【図２】
2005219785.tif 000004
【図３】
2005219785.tif 000005
【図４】
2005219785.tif 000006
【図５】
2005219785.tif 000007
【図６】
2005219785.tif 000008
【図７】
2005219785.tif 000009
【図８】
2005219785.tif 000010
【図９】
2005219785.tif 000011
【図１０】
2005219785.tif 000012
【図１１】
2005219785.tif 000013